(57)【特許請求の範囲】
【請求項１】
共通チャネルで伝送されるデータと、前記データの抽出に用いられる制御情報とを含む受信信号を取得し、前記受信信号から前記データが抽出されたとき前記データの受信状況を示す情報を送信する通信方法であって、
前記制御情報の取得状況に基づいて前記受信信号からの前記データの抽出可否を判定し、
抽出否と判定された場合、前記受信信号を基にフェージング速度を測定し、
前記受信信号からの前記制御情報の取得を再度試みて前記データの抽出可否を再判定した場合に抽出可と判定されるか否かを、前記再判定の前に前記フェージング速度に基づいて推定し、前記再判定により抽出可になると推定された場合、前記受信状況を示す情報の前に付加されるべき既知信号の送信を前記再判定の結果を待たずに決定する、
ことを特徴とする通信方法。
【請求項２】
前記フェージング速度が所定の閾値以上であることを示す測定結果が得られた場合に、前記再判定により抽出可になると推定することを特徴とする請求項１記載の通信方法。
【請求項３】
前記再判定により抽出可になると推定した後、前記再判定を行って抽出否と判定された場合、以降の前記既知信号の送信を取り止めることを特徴とする請求項１記載の通信方法。
【請求項４】
前記データの抽出可否は、復号した前記制御情報に対する誤り検出の結果に基づいて判定することを特徴とする請求項１記載の通信方法。
【請求項５】
前記再判定を行っても抽出否になると推定される測定結果が得られた場合、前記既知信号を送信しないことを特徴とする請求項１記載の通信方法。
【請求項６】
前記制御情報は制御チャネルで伝送され、
前記判定の際は、前記制御チャネルの推定結果を用いて前記制御情報の取得を試み、
前記再判定の際は、前記判定のときよりも新しい前記制御チャネルの推定結果を用いて前記制御情報の取得を再度試みる、
ことを特徴とする請求項１乃至５の何れか一項に記載の通信方法。
【請求項７】
共通チャネルで伝送されるデータと、前記データの抽出に用いられる制御情報とを含む受信信号を取得し、前記受信信号から前記データが抽出されたとき前記データの受信状況を示す情報を送信する通信装置であって、
前記制御情報の取得状況に基づいて前記受信信号からの前記データの抽出可否を判定する判定部と、
前記受信信号を基にフェージング速度を測定する測定部と、を有し、
前記判定部は、抽出否と判定された場合、前記受信信号からの前記制御情報の取得を再度試みて前記データの抽出可否を再判定した場合に抽出可と判定されるか否かを、前記再判定の前に前記フェージング速度に基づいて推定し、前記再判定により抽出可になると推定されたときは、前記受信状況を示す情報の前に付加すべき既知信号の送信を前記再判定の結果を待たずに決定する、
ことを特徴とする通信装置。
【発明の詳細な説明】
【技術分野】
【０００１】
本件は通信方法および通信装置に関し、特にデータの受信状況を示す情報を送信する通信方法および通信装置に関する。
【背景技術】
【０００２】
現在、移動通信システムの分野では、多元接続方式としてＣＤＭＡ（Code Division Multiple Access）を採用した通信システムが運用されている。そして、無線基地局から移動局への通信（下りリンク通信）を更に高速化すべく、ＨＳＤＰＡ（High Speed Downlink Packet Access）方式による改良もなされている。このような移動通信システムでは、ＨＡＲＱ（Hybrid Automatic Repeat reQuest）と呼ばれる再送制御方式が採用されている。ＨＡＲＱでは、移動局は無線基地局から受信したデータに誤りを検出した場合、誤りを含むデータを保持しつつ無線基地局に再送要求を行う。そして、無線基地局から再送データを受信すると、移動局は保持している前回の受信データと再送データとを合成して復号処理を行う。これにより、復号処理の利得が向上して再送回数を削減できる。
【０００３】
このとき、移動局は無線基地局に対し、誤り検出処理により誤りが検出されなかったときはＡＣＫ（ACKnowledgement）を返信し、誤りが検出されたときはＮＡＣＫ（Negative ACKnowledgement）を返信する。一方、そもそもデータ抽出に失敗した場合（例えば、データの復号に必要な制御情報を取得できなかった場合）、受信すべきデータが存在しないことを示すＤＴＸ（Discontinuous Transmission）を返信する。無線基地局は、移動局からの返信がＮＡＣＫであるかＤＴＸであるかによって、再送内容を変えることができる。例えば、ＤＴＸの場合は前回の送信データ全体をそのまま再送し、ＮＡＣＫの場合は前回の送信データのうち必要な一部分のみを再送することが考えられる。これにより、再送処理の一層の効率化が図れる。
【０００４】
ここで、ＡＣＫ／ＮＡＣＫ／ＤＴＸの信号表現として、ＡＣＫを「１」の信号、ＮＡＣＫを「０」の信号、ＤＴＸを「ＮＵＬＬ」（レベル０の信号）に対応付けることが考えられる。しかし、このようなＡＣＫ／ＮＡＣＫ／ＤＴＸ信号のみでは、雑音の影響を強く受けると、無線基地局においてＡＣＫ／ＮＡＣＫとＤＴＸとを区別することが難しくなる。そこで、移動局が無線基地局にＡＣＫ／ＮＡＣＫを送信する際には、その前後に所定のＰＲＥ信号とＰＯＳＴ信号とを併せて送信するという方法がある。無線基地局は、ＰＲＥ信号およびＰＯＳＴ信号のレベルとその２つに挟まれたＡＣＫ／ＮＡＣＫ信号のレベルとを比較することで、ＡＣＫ／ＮＡＣＫとＤＴＸと精度よく区別することができる（例えば、非特許文献１参照）。
【０００５】
一方で、移動局は制御情報を取得できずにデータ抽出に失敗した場合、無線基地局に対して即座にＤＴＸを送信して再送を要求するのではなく、制御情報の再取得を試みるという方法も考えられる。これは、下りリンクの共通制御チャネルから制御情報を取得する場合、チャネル推定の失敗が原因で正常に受信信号の復調・復号ができないことが考えられるからである。
【０００６】
すなわち、ある時間スロット＃ｎの時点の共通制御チャネルのチャネル推定は、最初は時間スロット＃ｎ−１までの受信信号に基づいて行うため、十分なチャネル推定の精度が確保できないことがある。一方、チャネル推定処理を時間スロット１つ分遅延させると、時間スロット＃ｎの時点の共通制御チャネルを時間スロット＃ｎまでの受信信号に基づいて推定することができ、推定精度の向上が期待できる。このため、共通制御チャネルの信号の再復調・再復号を行うと制御情報を正常に取得できる場合がある。この方法を用いることで、無線基地局から移動局への再送回数を削減できる（例えば、特許文献１参照）。
【特許文献１】特開２００７−１８０９２５号公報
【非特許文献１】3rd Generation Partnership Project, "Physical layer procedures (FDD)", 3GPP TS25.214, 2007-05, V7.5.0.
【発明の開示】
【発明が解決しようとする課題】
【０００７】
受信信号からのデータ取得に失敗して再取得を試み、その結果としてデータ取得に成功すると、取得できたデータに対しての応答情報（ＡＣＫやＮＡＣＫ）を送信することになる。このとき、応答情報の前後には所定の信号（ＰＲＥ信号およびＰＯＳＴ信号）を付加することが好ましい。
【０００８】
しかし、データ再取得の成功を受けてから所定の信号を付加する方法では、データ再取得に伴う処理遅延が原因で、応答情報の前の信号（ＰＲＥ情報）送信が間に合わないという問題がある。これは、通常は通信規格によって、データの受信から応答情報の送信までの間の許容時間が決められているためである。応答情報の前の信号（ＰＲＥ信号）が間に合わずに欠けてしまうと、受信側での応答情報の認識精度が低下し、再送制御の効率化が阻害されてしまう。
【０００９】
本件はこのような点に鑑みてなされたものであり、受信信号からのデータの再取得を行う場合でも応答情報と併せて適切なタイミングで信号送信を行える通信方法および通信装置を提供することを目的とする。
【課題を解決するための手段】
【００１０】
上記課題を解決するために、共通チャネルの信号を受信し、受信信号に含まれるデータに基づく受信状況を示す情報を送信する通信方法が提供される。この通信方法では、受信信号からのデータの取得可否を判定する。取得否と判定された場合、受信信号を基にフェージング速度を測定する。再判定により取得可と判定されると推定できる測定結果が得られた場合、受信状況を示す情報の前後に既知信号を付加する。
【００１１】
このような通信方法によれば、まずデータの取得可否が判定される。ここで取得否と判定された場合、受信信号を基にフェージング速度が測定される。そして、再判定により取得可と判定されると推定できる測定結果が得られた場合、受信状況を示す情報の前後に既知信号が付加される。
【００１２】
また、上記課題を解決するために、共通チャネルの信号を受信し、受信信号に含まれるデータに基づく受信状況を示す情報を送信する通信装置が提供される。この通信装置は、判定部と測定部と付加部とを有する。判定部は、受信信号からのデータの取得可否を判定する。測定部は、受信信号を基にフェージング速度を測定する。付加部は、判定部で取得否と判定された場合、再判定により取得可と判定されると推定できる測定結果が測定部で得られたときは、受信状況を示す情報の前後に既知信号を付加する。
【００１３】
このような通信装置によれば、判定部により、データの取得可否が判定される。また、測定部により、受信信号を基にフェージング速度が測定される。ここで取得否と判定された場合、再判定により取得可と判定されると推定できる測定結果が得られたときは、付加部により、受信状況を示す情報の前後に既知信号が付加される。
【発明の効果】
【００１４】
上記通信方法および通信装置によれば、受信信号からのデータの再取得を行う場合でも応答情報と併せて適切なタイミングで信号送信を行える。
【発明を実施するための最良の形態】
【００１５】
以下、本実施の形態を図面を参照して詳細に説明する。まず、本実施の形態の概要について説明し、その後、本実施の形態の具体的な内容を説明する。
図１は、本実施の形態の概要を示す図である。図１に示す通信システムは、通信装置１０，２０を有する。通信装置１０は、通信装置２０からデータを受信し、受信状況を示す情報を通信装置２０に送信する。通信装置１０は、例えば、無線通信が可能な移動局である。通信装置２０は、通信装置１０にデータを送信し、通信装置１０による受信状況を示す情報を通信装置１０から受信する。通信装置２０は、例えば、通信装置１０から受信した受信状況を示す情報に基づいて、データの再送制御を行うことができる。
【００１６】
ここで、通信装置１０は、判定部１１、測定部１２および付加部１３を有する。判定部１１は、通信装置２０から受信した受信信号に含まれるデータを取得可能か否か判定する。データが取得不可の場合とは、例えば、データの復号に必要な制御情報を共通制御チャネルから取得できない場合などである。測定部１２は、通信装置２０から受信した受信信号を基にフェージング速度を測定する。
【００１７】
付加部１３は、判定部１１でデータが取得不可と判定された場合、測定部１２の測定結果に基づいて、再判定により取得可能と判定されるか否かを再判定の実行前に推定する。例えば、フェージング速度が所定の閾値以上の場合、取得可能と判定されると推定する。取得可能と判定されると推定した場合、付加部１３は、通信装置２０に送信する受信状況を示す情報の前後に既知信号を付加する。一方、取得不可と判定されると推定した場合、既知信号は付加しない。
【００１８】
受信状況を示す情報としては、例えば、取得したデータに誤りが含まれるか否かを示すＡＣＫ／ＮＡＣＫや、データを取得できないことを示すＤＴＸが考えられる。この場合、通信装置１０は、ＡＣＫ／ＮＡＣＫに対しては、その前後に既知信号を付加する。一方、ＤＴＸに対しては既知信号を付加しない。ただし、再判定によりデータを取得できることになると、処理遅延のためにＡＣＫ／ＮＡＣＫに対する既知信号の付加が間に合わない可能性がある。このため、通信装置１０は、再判定を行う場合には、その実行前に判定結果を推定して、既知信号を付加するか否かを決定する。
【００１９】
このような通信システムによれば、通信装置１０の判定部１１により、データの取得可否が判定される。また、通信装置１０の測定部１２により、通信装置２０からの受信信号を基にフェージング速度が測定される。判定部１１で取得否と判定された場合、再判定により取得可と判定されると推定できる測定結果が測定部１２で得られたときは、付加部１３により、受信状況を示す情報の前後に既知信号が付加される。
【００２０】
これにより、通信装置１０は、データの取得可否を再判定することでデータを取得できた場合でも、受信状況を示す情報と併せて適切なタイミングで既知信号を送信できる。すなわち、再判定に伴う遅延により受信状況を示す情報に対する既知信号の付加が間に合わないことを回避できる。この結果、通信装置２０は、既知信号を参照して受信状況を示す情報を精度よく認識することが可能となる。
【００２１】
以下、本実施の形態の具体的内容を図面を参照して詳細に説明する。
図２は、本実施の形態のシステム構成を示す図である。本実施の形態に係る無線通信システムは、移動局が電波到達範囲内にある無線基地局と無線通信を行う移動通信システムである。この無線通信システムは、移動局１００および無線基地局２００を有する。
【００２２】
移動局１００は、送信データがある場合、無線基地局２００に対してデータを無線信号として送信する。また、移動局１００は、無線基地局２００が送信した無線信号を受信して、受信信号に含まれる自局宛てのデータを抽出する。無線基地局２００は、移動局１００が送信した無線信号を受信してデータを抽出する。また、無線基地局２００は、移動局１００宛てのデータがある場合、データを無線信号として送信する。
【００２３】
ここで、本実施の形態では、下りリンク通信の制御にＨＳＤＰＡ方式を採用したＣＤＭＡ通信システムを考える。すなわち、無線基地局２００から移動局１００への下りリンク通信に用いられる通信チャネルには、ＣＰＩＣＨ（Common PIlot CHannel）、Ｐ−ＣＣＰＣＨ（Primary - Common Control Physical CHannel）、ＨＳ−ＳＣＣＨ（High Speed - Shared Control CHannel）およびＨＳ−ＰＤＳＣＨ（High Speed - Physical Downlink Shared CHannel）が含まれている。また、移動局１００から無線基地局２００への上りリンク通信に用いられる通信チャネルには、ＨＳ−ＤＰＣＣＨ（High Speed - Dedicated Physical Control CHannel）が含まれている。
【００２４】
ＣＰＩＣＨは、下りリンクの共通チャネルであり、移動局１００によるチャネル推定やセルサーチ、他の下り通信チャネルのタイミング捕捉などのために利用されるパイロット信号（移動局１００と無線基地局２００との間で既知の信号）を送信するために用いられる。Ｐ−ＣＣＰＣＨは、下りリンクの共通チャネルであり、無線基地局２００によりセル内に報知される報知情報を送信するために用いられる。
【００２５】
ＨＳ−ＳＣＣＨは、下りリンクの共通制御チャネルであり、ＨＳ−ＰＤＳＣＨで送信されるデータを復号するための各種パラメータを送信するために用いられる。パラメータとしては、例えば、データの符号化方式や拡散符号の割り当て数、レートマッチング処理のパターンなどが挙げられる。ＨＳ−ＰＤＳＣＨは、下りリンクの共通制御チャネルであり、ＨＳ−ＳＣＣＨで送信されるパラメータに応じた処理を施したデータ（制御データ）を送信するために用いられる。
【００２６】
ＨＳ−ＤＰＣＣＨは、上りリンクの個別制御チャネルであり、ＨＳ−ＰＤＳＣＨからのデータ受信状況に応じて、移動局１００がＡＣＫ／ＮＡＣＫ／ＤＴＸ信号を送信するために用いられる。また、ＨＳ−ＤＰＣＣＨは、下りリンクの無線通信品質（例えば、信号対干渉比（ＳＩＲ：Signal to Interference Ratio））の測定結果を示すチャネル品質情報（ＣＱＩ：Channel Quality Indicator）を送信するためにも用いられる。
【００２７】
なお、移動局１００および無線基地局２００は符号分割多重方式を採用しており、無線信号に含まれる上記の各通信チャネルは、互いに符号により分離されている。
次に、移動局１００のモジュール構成について説明する。なお、紙面の都合上、移動局１００のモジュール構成を図３と図４とに分割して示している。
【００２８】
図３は、移動局の機能を示す第１のブロック図である。移動局１００は、受信部１１１、ＨＳ−ＳＣＣＨ推定フィルタ１１２、ＨＳ−ＳＣＣＨシンボルバッファ１１３、ＨＳ−ＳＣＣＨ補償部１１４、ＨＳ−ＳＣＣＨ復調部１１５、ＨＳ−ＳＣＣＨ復号部１１６、ＨＳ−ＳＣＣＨ＿ＣＲＣ演算部１１７、ＨＳ−ＳＣＣＨ再復調用補償部１１８、ＨＳ−ＳＣＣＨ再処理部１１９、ＨＳ−ＰＤＳＣＨシンボルバッファ１２０、ＨＳ−ＰＤＳＣＨ推定フィルタ１２１、ＨＳ−ＰＤＳＣＨ補償部１２２、ＨＳ−ＰＤＳＣＨ復調部１２３、ＨＳ−ＰＤＳＣＨ復号部１２４、ＨＳ−ＰＤＳＣＨ再復号部１２５およびフェージング速度測定部１２６を有する。
【００２９】
受信部１１１は、移動局１００が備える受信アンテナ（図示せず）より、無線基地局２００からの受信信号を取得する。そして、受信部１１１は、取得した受信信号に対してパス検出や逆拡散などの処理を行い、ＣＰＩＣＨやＨＳ−ＳＣＣＨ、ＨＳ−ＰＤＳＣＨなどの下り通信チャネルそれぞれに信号を分離する。
【００３０】
その後、受信部１１１は、ＣＰＩＣＨ信号を、ＨＳ−ＳＣＣＨ推定フィルタ１１２、ＨＳ−ＰＤＳＣＨ推定フィルタ１２１およびフェージング速度測定部１２６に出力する。また、ＨＳ−ＳＣＣＨ信号を、ＨＳ−ＳＣＣＨシンボルバッファ１１３およびＨＳ−ＳＣＣＨ補償部１１４に出力する。また、ＨＳ−ＰＤＳＣＨ信号を、ＨＳ−ＰＤＳＣＨシンボルバッファ１２０に出力する。
【００３１】
ＨＳ−ＳＣＣＨ推定フィルタ１１２は、受信部１１１から取得したＣＰＩＣＨの既知信号を用いて、ＨＳ−ＳＣＣＨのチャネル補償に用いるチャネル推定値を求める。そして、ＨＳ−ＳＣＣＨ推定フィルタ１１２は、得られたチャネル推定値をＨＳ−ＳＣＣＨ補償部１１４およびＨＳ−ＳＣＣＨ再復調用補償部１１８に出力する。
【００３２】
ＨＳ−ＳＣＣＨシンボルバッファ１１３は、ＨＳ−ＳＣＣＨ信号の再復調・再復号に備えて、受信部１１１から取得したＨＳ−ＳＣＣＨ信号を一時的に保持するバッファメモリである。ＨＳ−ＳＣＣＨシンボルバッファ１１３は、例えば、直近３スロット分のＨＳ−ＳＣＣＨ信号を保持する。そして、ＨＳ−ＳＣＣＨシンボルバッファ１１３は、再復調・再復号のタイミングに合わせて、保持しているＨＳ−ＳＣＣＨ信号をＨＳ−ＳＣＣＨ再復調用補償部１１８に出力する。
【００３３】
ＨＳ−ＳＣＣＨ補償部１１４は、受信部１１１から取得したＨＳ−ＳＣＣＨ信号に対して、ＨＳ−ＳＣＣＨ推定フィルタ１１２から取得したチャネル推定値を適用して、チャネル補償を行う。そして、ＨＳ−ＳＣＣＨ補償部１１４は、補償後のＨＳ−ＳＣＣＨ信号をＨＳ−ＳＣＣＨ復調部１１５に出力する。
【００３４】
ＨＳ−ＳＣＣＨ復調部１１５は、ＨＳ−ＳＣＣＨ補償部１１４から取得した補償後ＨＳ−ＳＣＣＨ信号を、所定の復調方式に従って復調する。そして、ＨＳ−ＳＣＣＨ復調部１１５は、得られたＨＳ−ＳＣＣＨ復調データをＨＳ−ＳＣＣＨ復号部１１６に出力する。
【００３５】
ＨＳ−ＳＣＣＨ復号部１１６は、ＨＳ−ＳＣＣＨ復調部１１５から取得したＨＳ−ＳＣＣＨ復調データを、所定の復号方式に従って復号する。そして、ＨＳ−ＳＣＣＨ復号部１１６は、得られたＨＳ−ＳＣＣＨ復号データを、ＨＳ−ＳＣＣＨ＿ＣＲＣ演算部１１７に出力する。なお、ここで得られる復号データには、巡回冗長検査（ＣＲＣ：Cyclic Redundancy Check）のための検査ビットが含まれている。
【００３６】
ＨＳ−ＳＣＣＨ＿ＣＲＣ演算部１１７は、ＨＳ−ＳＣＣＨ復号部１１６から取得したＨＳ−ＳＣＣＨ復号データに対し、ＣＲＣ演算、すなわち、誤り検出処理を行う。そして、ＨＳ−ＳＣＣＨ＿ＣＲＣ演算部１１７は、誤り検出結果（誤りが検出されなかったことを示すＯＫ、または、誤りが検出されたことを示すＮＧ）を、ＨＳ−ＳＣＣＨ再処理部１１９および後述するＰＲＥ／ＰＯＳＴ判定部１３３に出力する。また、誤り検出結果がＯＫの場合には、得られたＨＳ−ＳＣＣＨデータ（ＨＳ−ＰＤＳＣＨデータの復号に用いるパラメータ情報）をＨＳＰＤＳＣＨ復号部１２４に出力する。
【００３７】
ＨＳ−ＳＣＣＨ再復調用補償部１１８は、ＨＳ−ＳＣＣＨシンボルバッファ１１３から遅延したＨＳ−ＳＣＣＨ信号を取得し、ＨＳ−ＳＣＣＨ推定フィルタ１１２から取得したチャネル推定値を適用してチャネル補償を行う。すなわち、ＨＳ−ＳＣＣＨ再復調用補償部１１８は、ＨＳ−ＳＣＣＨ補償部１１４でチャネル補償を行ったものと同一のＨＳ−ＳＣＣＨ信号に対し、最新のチャネル推定値を適用して再度チャネル補償を行う。これにより、ＨＳ−ＳＣＣＨ再復調用補償部１１８では、ＨＳ−ＳＣＣＨ補償部１１４よりも精度の高いチャネル補償が行われる。そして、ＨＳ−ＳＣＣＨ再復調用補償部１１８は、補償後のＨＳ−ＳＣＣＨ信号をＨＳ−ＳＣＣＨ再処理部１１９に出力する。
【００３８】
ＨＳ−ＳＣＣＨ再処理部１１９は、ＨＳ−ＳＣＣＨ＿ＣＲＣ演算部１１７からＮＧの誤り検出結果を取得した場合に、ＨＳ−ＳＣＣＨ再復調用補償部１１８から取得した補償後ＨＳ−ＳＣＣＨ信号に対して復調・復号およびＣＲＣ演算を行う。すなわち、ＨＳ−ＳＣＣＨ再処理部１１９は、ＨＳ−ＳＣＣＨ復調部１１５と同様の復調処理を行い、ＨＳ−ＳＣＣＨ復号部１１６と同様の復号処理を行い、ＨＳ−ＳＣＣＨ＿ＣＲＣ演算部１１７と同様の誤り検出処理を行う。そして、ＨＳ−ＳＣＣＨ再処理部１１９は、誤り検出結果を後述するスケジューリング部１３４に出力する。また、誤り検出結果がＯＫの場合には、得られたＨＳ−ＳＣＣＨデータをＨＳ−ＰＤＳＣＨ再復号部１２５に出力する。
【００３９】
ＨＳ−ＰＤＳＣＨシンボルバッファ１２０は、受信部１１１から取得したＨＳ−ＰＤＳＣＨ信号を一時的に保持するバッファメモリである。ＨＳ−ＰＤＳＣＨシンボルバッファ１２０は、復調・復号のタイミングに合わせて、ＨＳ−ＰＤＳＣＨ信号を遅延させてＨＳ−ＰＤＳＣＨ補償部１２２に出力する。
【００４０】
ＨＳ−ＰＤＳＣＨ推定フィルタ１２１は、受信部１１１から取得したＣＰＩＣＨ信号の既知信号を用いて、ＨＳ−ＰＤＳＣＨのチャネル補償に用いるチャネル推定値を求める。そして、ＨＳ−ＰＤＳＣＨ推定フィルタ１２１は、得られたチャネル推定値をＨＳ−ＰＤＳＣＨ補償部１２２に出力する。
【００４１】
ＨＳ−ＰＤＳＣＨ補償部１２２は、ＨＳ−ＰＤＳＣＨシンボルバッファ１２０から取得したＨＳ−ＰＤＳＣＨ信号に対して、ＨＳ−ＰＤＳＣＨ推定フィルタ１２１から取得したチャネル推定値を適用して、チャネル補償を行う。そして、ＨＳ−ＰＤＳＣＨ補償部１２２は、補償後のＨＳ−ＰＤＳＣＨ信号をＨＳ−ＰＤＳＣＨ復調部１２３に出力する。
【００４２】
ＨＳ−ＰＤＳＣＨ復調部１２３は、ＨＳ−ＰＤＳＣＨ補償部１２２から取得した補償後ＨＳ−ＰＤＳＣＨ信号を復調する。そして、ＨＳ−ＰＤＳＣＨ復調部１２３は、得られたＨＳ−ＰＤＳＣＨ復調データを、ＨＳ−ＰＤＳＣＨ復号部１２４およびＨＳ−ＰＤＳＣＨ再復号部１２５に出力する。
【００４３】
ＨＳ−ＰＤＳＣＨ復号部１２４は、ＨＳ−ＳＣＣＨ＿ＣＲＣ演算部１１７から誤りを含まない（誤り検出結果がＯＫであった）ＨＳ−ＳＣＣＨデータを取得できた場合に、ＨＳ−ＰＤＳＣＨ復調部１２３から取得したＨＳ−ＰＤＳＣＨ復調データを復号する。すなわち、ＨＳ−ＰＤＳＣＨ復号部１２４は、ＨＳ−ＳＣＣＨデータが示す符号化方式などの各種パラメータに基づいて復号処理を行う。そして、ＨＳ−ＰＤＳＣＨ復号部１２４は、得られたＨＳ−ＰＤＳＣＨ復号データを、後述するＨＡＲＱ処理部１３０に出力する。
【００４４】
ＨＳ−ＰＤＳＣＨ再復号部１２５は、ＨＳ−ＳＣＣＨ再処理部１１９から誤りを含まない（誤り検出結果がＯＫであった）ＨＳ−ＳＣＣＨデータを取得できた場合に、ＨＳ−ＰＤＳＣＨ復号部１２４と同様にして、ＨＳ−ＰＤＳＣＨ復調部１２３から取得したＨＳ−ＰＤＳＣＨ復調データを復号する。そして、ＨＳ−ＰＤＳＣＨ再復号部１２５は、得られたＨＳ−ＰＤＳＣＨ復号データを、後述するＨＡＲＱ処理部１３０に出力する。
【００４５】
フェージング速度測定部１２６は、受信部１１１から取得したＣＰＩＣＨ信号に基づいて、フェージング速度（移動局１００の移動速度）を測定する。フェージング速度は、例えば、ＣＰＩＣＨ信号の受信レベルの時間変化に基づいて測定することができる。すなわち、フェージング速度測定部１２６は、ある期間の受信レベルの平均値を計算し、受信レベルを時系列に見たときに受信レベルが平均値を跨って変動した回数（交差回数）を求める。そして、交差回数を以下の式（１）に適用することで、フェージング速度を近似的に計算することができる。
【００４６】
【数１】
0005125645.tif 000002
【００４７】
ここで、ｖはフェージング速度、Ｎは交差回数、ｃは光速、ｆは搬送波周波数を意味する。なお、式（１）の詳細については、奥村・進士著「移動通信の基礎」（電子情報通信学会編）などを参照されたい。このようにして、フェージング速度測定部１２６は、フェージング速度を求め、後述するＰＲＥ／ＰＯＳＴ判定部１３３に出力する。
【００４８】
図４は、移動局の機能を示す第２のブロック図である。移動局１００は、図３に示したものに加えて、受信タイミング監視部１２７、送信タイミング管理部１２８、ＨＡＲＱバッファ１２９、ＨＡＲＱ処理部１３０、ＨＳ−ＰＤＳＣＨ＿ＣＲＣ演算部１３１、ＨＳ−ＰＤＳＣＨ復号タイマ１３２、ＰＲＥ／ＰＯＳＴ判定部１３３、スケジューリング部１３４、符号化部１３５、変調部１３６および送信部１３７を有する。
【００４９】
受信タイミング監視部１２７は、受信部１１１における各下り通信チャネルの受信タイミングを継続的に監視し、無線信号の構成単位であるフレームの開始タイミングなど、下り信号の受信タイミングを特定する。そして、受信タイミング監視部１２７は特定結果を送信タイミング管理部１２８に出力する。
【００５０】
送信タイミング管理部１２８は、受信タイミング監視部１２７から取得した下り信号の受信タイミングに基づいて、上り信号の送信タイミングを管理する。特に、送信タイミング管理部１２８は、ＡＣＫ／ＮＡＣＫ／ＤＴＸの送信タイミングを管理する。そして、送信タイミング管理部１２８は、送信タイミングをスケジューリング部１３４に指示する。
【００５１】
ＨＡＲＱバッファ１２９は、ＨＳ−ＰＤＳＣＨ復号部１２４またはＨＳ−ＰＤＳＣＨ再復号部１２５により得られたＨＳ−ＰＤＳＣＨデータを、ＨＡＲＱによる再送制御のために一時的に保持するバッファメモリである。ＨＡＲＱバッファ１２９に対するＨＳ−ＰＤＳＣＨデータの格納および読み出しは、ＨＡＲＱ処理部１３０によって行われる。
【００５２】
ＨＡＲＱ処理部１３０は、ＨＳ−ＰＤＳＣＨ復号部１２４またはＨＳ−ＰＤＳＣＨ再復号部１２５から取得したＨＳ−ＰＤＳＣＨデータに対しＨＡＲＱ合成を行う。すなわち、ＨＡＲＱ処理部１３０は、新規のＨＳ−ＰＤＳＣＨデータを取得すると、そのままＨＳ−ＰＤＳＣＨ＿ＣＲＣ演算部１３１に出力すると共に、ＨＡＲＱバッファ１２９に格納しておく。その後、再送されたＨＳ−ＰＤＳＣＨデータを取得すると、再送データとＨＡＲＱバッファ１２９に格納された前回データ（誤りを含むデータ）とを合成して、ＨＳ−ＰＤＳＣＨ＿ＣＲＣ演算部１３１に出力する。
【００５３】
ＨＳ−ＰＤＳＣＨ＿ＣＲＣ演算部１３１は、ＨＡＲＱ処理部１３０から取得したＨＳ−ＰＤＳＣＨデータに対し、ＣＲＣ演算を行う。そして、ＨＳ−ＰＤＳＣＨ＿ＣＲＣ演算部１３１は、誤り検出結果をスケジューリング部１３４に出力する。
【００５４】
ＨＳ−ＰＤＳＣＨ復号タイマ１３２は、ＨＳ−ＰＤＳＣＨ信号の受信完了からの経過時間を監視して、ＡＣＫ／ＮＡＣＫの送信タイミングを制御する。具体的には、ＨＳ−ＰＤＳＣＨ復号タイマ１３２は、ＨＳ−ＰＤＳＣＨ信号の受信完了から所定時間内であれば、ＨＳ−ＰＤＳＣＨ＿ＣＲＣ演算部１３１での誤り検出結果に応じたＡＣＫ／ＮＡＣＫの送信を許可する。一方、ＨＳ−ＰＤＳＣＨ信号の受信完了から所定時間経過すると、強制的にＮＡＣＫを送信するようスケジューリング部１３４に指示する。
【００５５】
すなわち、ＨＳ−ＰＤＳＣＨ復号タイマ１３２は、ＨＳ−ＰＤＳＣＨの復号処理が既定の応答タイミングに間に合わないときは、ＮＡＣＫが送信されるように制御する。なお、復号処理が応答タイミングに間に合わない場合としては、例えば、ＨＳ−ＳＣＣＨの再復調・再復号を行い、かつ、ＨＳ−ＰＤＳＣＨデータの復号単位（ブロック）が大きく復号処理に時間を要する場合などが考えられる。
【００５６】
ＰＲＥ／ＰＯＳＴ判定部１３３は、ＨＳ−ＳＣＣＨ＿ＣＲＣ演算部１１７から取得した誤り検出結果に基づいて、ＰＲＥ／ＰＯＳＴ信号の送信の要否を判断する。具体的には、ＰＲＥ／ＰＯＳＴ判定部１３３は、ＨＳ−ＳＣＣＨの誤り検出結果がＯＫである場合、ＰＲＥ／ＰＯＳＴ信号の送信が必要と判断する。一方、ＨＳ−ＳＣＣＨの誤り検出結果がＮＧである場合、フェージング速度測定部１２６から取得したフェージング速度に基づいて再復調・再復号後の誤り検出結果を推定し、推定結果に応じて要否を判断する。
【００５７】
ここで、ＰＲＥ／ＰＯＳＴ判定部１３３は、フェージング速度が所定の閾値以上であれば、再復調・再復号後の誤り検出結果がＯＫになると推定する。一方、フェージング速度が所定の閾値未満であれば、再復調・再復号後の誤り検出結果がＮＧになると推定する。そして、ＰＲＥ／ＰＯＳＴ判定部１３３は、ＰＲＥ／ＰＯＳＴ信号の送信が必要と判断した場合は、ＰＲＥ／ＰＯＳＴ信号の送信をスケジューリング部１３４に指示する。一方、ＰＲＥ／ＰＯＳＴ信号の送信が不要と判断した場合は、ＤＴＸ信号の送信をスケジューリング部１３４に指示する。
【００５８】
スケジューリング部１３４は、送信タイミング管理部１２８が管理する送信タイミングに応じて、ＡＣＫ／ＮＡＣＫ／ＤＴＸやその前後に付加するＰＲＥ／ＰＯＳＴ、ＣＱＩなどの制御データの送信スケジュールを設定する。そして、スケジューリング部１３４は、スケジューリング結果に基づいて、制御データを順次、符号化部１３５に出力する。
【００５９】
ここで、スケジューリング部１３４は、ＡＣＫ／ＮＡＣＫ／ＤＴＸおよびＰＲＥ／ＰＯＳＴについては、ＨＳ−ＳＣＣＨ再処理部１１９から取得する誤り検出結果、ＨＳ−ＰＤＳＣＨ＿ＣＲＣ演算部１３１から取得する誤り検出結果、ＨＳ−ＰＤＳＣＨ復号タイマ１３２からの送信指示、および、ＰＲＥ／ＰＯＳＴ判定部１３３からの送信指示に基づいて送信スケジュールを設定する。スケジューリング方法の詳細は後述する。
【００６０】
符号化部１３５は、スケジューリング部１３４から取得した制御データをＨＳ−ＤＰＣＣＨのデータとして符号化する。そして、符号化部１３５は、得られたＨＳ−ＤＰＣＣＨ符号化データを変調部１３６に出力する。
【００６１】
変調部１３６は、符号化部１３５から取得したＨＳ−ＤＰＣＣＨ符号化データを変調する。そして、変調部１３６は、変調により得られたＨＳ−ＤＰＣＣＨ信号を送信部１３７に出力する。
【００６２】
送信部１３７は、変調部１３６から取得したＨＳ−ＤＰＣＣＨ信号を移動局１００が備える送信アンテナ（図示せず）に出力する。これにより、ＨＳ−ＤＰＣＣＨ信号が無線基地局２００に対して無線送信される。
【００６３】
図５は、閾値テーブルのデータ構造を示す図である。図５に示す閾値テーブル１３３ａは、ＰＲＥ／ＰＯＳＴ判定部１３３が保持している。閾値テーブル１３３ａには、速度を示す項目と推定値を示す項目とが設けられている。各項目の横方向に並べられた情報同士が互いに関連付けられている。
【００６４】
速度を示す項目には、フェージング速度の範囲を示す値が設定される。推定値を示す項目には、再復調・再復号後の誤り検出結果の推定値が設定される。ここで、ＯＫは誤りが検出されないと推定できることを意味し、ＮＧは誤りが検出されると推定できることを意味する。例えば、フェージング速度が１０ｋｍ／ｈ未満のときは推定値がＮＧ、フェージング速度が１０ｋｍ／ｈ以上のときは推定値がＯＫと定義される。
【００６５】
次に、以上のような構成およびデータ構造を備える移動局１００において実行される処理の詳細を説明する。なお、紙面の都合上、移動局１００において実行される処理の手順を図６と図７とに分割して示している。
【００６６】
図６は、ＨＡＲＱ制御の処理手順を示す第１のフローチャートである。以下、図６に示す処理をステップ番号に沿って説明する。
［ステップＳ１１］ＨＳ−ＳＣＣＨ復調部１１５は、ＨＳ−ＳＣＣＨ信号を復調する。ＨＳ−ＳＣＣＨ復号部１１６は、ＨＳ−ＳＣＣＨ信号の復調結果を復号する。
【００６７】
［ステップＳ１２］ＨＳ−ＳＣＣＨ＿ＣＲＣ演算部１１７は、復号されたＨＳ−ＳＣＣＨデータに対してＣＲＣ演算を行い、誤り検出結果がＯＫか（誤りを含まないか）判断する。誤り検出結果がＯＫの場合、処理がステップＳ１３に進められる。誤り検出結果がＮＧの場合、処理がステップＳ１４に進められる。
【００６８】
［ステップＳ１３］ＰＲＥ／ＰＯＳＴ判定部１３３は、ＰＲＥ／ＰＯＳＴ信号の送信が必要と判断する。スケジューリング部１３４は、ＨＳ−ＤＰＣＣＨにてＰＲＥ信号を２回送信するようスケジューリングを行う。その後、処理が後述するステップＳ２２に進められる。
【００６９】
［ステップＳ１４］フェージング速度測定部１２６は、フェージング速度（移動局１００の移動速度）を測定する。なお、フェージング速度は、ステップＳ１２の実行後に測定するのではなく、ステップＳ１１，１２の処理と並行して測定しておくこともできる。
【００７０】
［ステップＳ１５］ＰＲＥ／ＰＯＳＴ判定部１３３は、ステップＳ１４で得られたフェージング速度と閾値テーブル１３３ａとを照合して、再復調・再復号後の誤り検出結果がＯＫとなるか否かを推定する。誤り検出結果がＯＫとなると推定される場合、処理がステップＳ１６に進められる。誤り検出結果がＮＧとなると推定される場合、処理がステップＳ１７に進められる。
【００７１】
［ステップＳ１６］ＰＲＥ／ＰＯＳＴ判定部１３３は、ＰＲＥ／ＰＯＳＴ信号の送信が必要と判断する。スケジューリング部１３４は、ＨＳ−ＤＰＣＣＨにてＰＲＥ信号を１回送信するようスケジューリングを行う。
【００７２】
［ステップＳ１７］ＰＲＥ／ＰＯＳＴ判定部１３３は、ＰＲＥ／ＰＯＳＴ信号の送信が不要と判断する。スケジューリング部１３４は、ＨＳ−ＤＰＣＣＨにてＤＴＸ信号を１回送信するようスケジューリングを行う。
【００７３】
［ステップＳ１８］ＨＳ−ＳＣＣＨ再処理部１１９は、ＨＳ−ＳＣＣＨ信号を再度復調する。また、ＨＳ−ＳＣＣＨ再処理部１１９は、ＨＳ−ＳＣＣＨの復調結果を復号する。なお、再復調・再復号は、ステップＳ１４〜Ｓ１７の処理と並行して行うことができる。
【００７４】
［ステップＳ１９］ＨＳ−ＳＣＣＨ再処理部１１９は、復号されたＨＳ−ＳＣＣＨデータに対してＣＲＣ演算を行い、誤り検出結果がＯＫか（誤りを含まないか）判断する。誤り検出結果がＯＫの場合、処理がステップＳ２０に進められる。誤り検出結果がＮＧの場合、処理がステップＳ２１に進められる。
【００７５】
［ステップＳ２０］スケジューリング部１３４は、ステップＳ１６またはステップＳ１７でスケジューリングされた送信信号に続けて、ＰＲＥ信号を１回送信するようスケジューリングを行う。その後、処理が後述するステップＳ２２に進められる。
【００７６】
［ステップＳ２１］スケジューリング部１３４は、ステップＳ１６またはステップＳ１７でスケジューリングされた送信信号に続けて、ＤＴＸ信号を５回送信するようスケジューリングを行う。その後、処理が終了する。
【００７７】
図７は、ＨＡＲＱ制御の処理手順を示す第２のフローチャートである。図６の説明と同様に、図７に示す処理をステップ番号に沿って説明する。
［ステップＳ２２］ＨＳ−ＰＤＳＣＨ復号部１２４またはＨＳ−ＰＤＳＣＨ再復号部１２５は、誤り検出結果がＯＫとなったＨＳ−ＳＣＣＨデータを用いて、ＨＳ−ＰＤＳＣＨの復調結果を復号する。ＨＡＲＱ処理部１３０は、復号されたＨＳ−ＰＤＳＣＨデータが再送データである場合、ＨＡＲＱバッファ１２９に格納されているデータを読み出してＨＡＲＱ合成を行う。
【００７８】
［ステップＳ２３］ＨＳ−ＰＤＳＣＨ＿ＣＲＣ演算部１３１は、復号されたＨＳ−ＰＤＳＣＨデータに対してＣＲＣ演算を行い、誤り検出結果がＯＫか（誤りを含まないか）判断する。誤り検出結果がＯＫの場合、処理がステップＳ２４に進められる。誤り検出結果がＮＧの場合、処理がステップＳ２５に進められる。
【００７９】
［ステップＳ２４］スケジューリング部１３４は、スケジューリング済みのＰＲＥ信号に続けてＡＣＫ信号を２回送信するようスケジューリングを行う。
［ステップＳ２５］スケジューリング部１３４は、スケジューリング済みのＰＲＥ信号に続けてＮＡＣＫ信号を２回送信するようスケジューリングを行う。
【００８０】
［ステップＳ２６］スケジューリング部１３４は、ステップＳ２４またはステップＳ２５でスケジューリングされた送信信号に続けて、ＰＯＳＴ信号を２回送信するようスケジューリングを行う。
【００８１】
このようにして、移動局１００は、１回目のＨＳ−ＳＣＣＨの復調・復号でＨＳ−ＳＣＣＨデータを正常に取得できた場合、ＰＲＥ／ＰＯＳＴ信号の送信を決定する。また、１回目ではＨＳ−ＳＣＣＨデータを正常に取得できなかった場合でも、フェージング速度から、２回目のＨＳ−ＳＣＣＨの復調・復号でＨＳ−ＳＣＣＨデータを正常に取得できると推定できる場合は、ＰＲＥ／ＰＯＳＴ信号の送信を決定する。
【００８２】
これにより、２回目のＨＳ−ＳＣＣＨの復調・復号を待って決定する場合よりも早いタイミングでＰＲＥ／ＰＯＳＴ信号の送信を決定でき、最初のＰＲＥ信号の送信が時間制約上間に合わくなることを回避できる。なお、フェージング速度によって２回目のＨＳ−ＳＣＣＨの復調・復号結果を推定できるのは、フェージング速度が大きいとチャネル推定に失敗する可能性が高くなり、その結果、ＨＳ−ＳＣＣＨデータを正常に取得できない可能性が高くなることに基づいている。
【００８３】
なお、上記のＨＡＲＱ制御処理の説明では、タイムアウトにより強制的にＮＡＣＫを送信する場合は除外して説明している。また、上記のＨＡＲＱ制御処理の説明では、ＡＣＫ／ＮＡＣＫを応答する場合は、ＰＲＥ信号、ＡＣＫ／ＮＡＣＫ信号、ＰＯＳＴ信号をそれぞれ２回ずつ（２スロットずつ）送信するものとしたが、それぞれの送信回数を変えることもできる。また、それと合わせて、ＤＴＸを応答する場合のＤＴＸ信号の送信回数も変えるがことができる。
【００８４】
次に、移動局１００がＨＳ−ＳＣＣＨ信号およびＨＳ−ＰＤＳＣＨ信号を受信し、受信状況に応じてＨＳ−ＤＰＣＣＨ信号（ＡＣＫ／ＮＡＣＫ／ＤＴＸ信号）を送信するタイミングについて説明する。
【００８５】
図８は、下り共通信号および上り制御信号のタイミングを示す第１の図である。図８では、ＣＰＩＣＨ信号の受信、Ｐ−ＣＣＰＣＨ信号の受信、ＨＳ−ＳＣＣＨ信号の受信、ＨＳ−ＰＤＳＣＨ信号の受信、ＨＳ−ＳＣＣＨシンボルバッファ１１３でのバッファリングおよびＨＳ−ＤＰＣＣＨ信号の送信のタイミングを示している。
【００８６】
ここで、１フレーム（１０ｍｓ）は、５つのサブフレームを含んでいる。１サブフレームは、３つのスロットを含んでいる。フレームの先頭は、ＣＰＩＣＨ信号に基づいて判断することができる。Ｐ−ＣＣＰＣＨおよびＨＳ−ＳＣＣＨの先頭は、フレームの先頭と一致している。一方、ＨＳ−ＰＤＳＣＨの先頭は、フレームの先頭から２スロット遅延している。これは、ＨＳ−ＰＤＳＣＨの復号を行うためには、ＨＳ−ＳＣＣＨで取得する符号化方式や拡散コードなどのパラメータ情報が必要だからである。
【００８７】
ＨＳ−ＳＣＣＨシンボルバッファ１１３には、受信タイミングよりも１スロット遅延して、３スロット分のＨＳ−ＳＣＣＨ信号が格納される。なお、ＨＳ−ＳＣＣＨ信号は、宛先となる移動局の識別子を含む１スロット長のＰａｒｔ１部と、符号化方式などの情報を含む２スロット長のＰａｒｔ２部とを有している。
【００８８】
ＨＳ−ＤＰＣＣＨにおいて最初のＡＣＫ／ＮＡＣＫ信号は、ＨＳ−ＰＤＳＣＨ信号の受信完了から７．５スロット後に送信する必要がある。複数のＡＣＫ／ＮＡＣＫ信号を送信する場合は、最初のＡＣＫ／ＮＡＣＫ信号の後、１サブフレーム（３スロット）に１回の間隔で送信する。ＰＲＥ信号は、最初のＡＣＫ／ＮＡＣＫ信号の前に、１サブフレームに１回の間隔で送信する。ＰＯＳＴ信号は、最後のＡＣＫ／ＮＡＣＫ信号の後に、１サブフレームに１回の間隔で送信する。ＡＣＫ／ＮＡＣＫ信号およびＰＲＥ／ＰＯＳＴ信号の送信に用いられないスロットは、ＣＱＩ信号の送信に用いることができる。
【００８９】
図８は、ＰＲＥ信号を２つ、ＡＣＫ／ＮＡＣＫ信号を２つ、ＰＯＳＴ信号を２つ送信する場合を示している。ＡＣＫ／ＮＡＣＫに代えてＤＴＸ信号を送信する場合は、ＰＲＥ／ＰＯＳＴ信号もＤＴＸ信号に置き換えられる。すなわち、図８の例の場合、最大で６つのＤＴＸ信号が連続して送信されることになる。なお、無線基地局２００がより精度よくＡＣＫ／ＮＡＣＫとＤＴＸとを区別して認識できるようにするには、ＰＲＥ／ＰＯＳＴ信号の回数が多い方が好ましい。認識精度と使用リソース量とのバランスを取るため、無線通信品質に応じてＰＲＥ／ＰＯＳＴ信号の送信回数を変えるようにしてもよい。
【００９０】
図８の例は、ＨＳ−ＳＣＣＨの１回目の復調・復号で誤り検出（ＣＲＣ演算）の結果がＯＫ（誤りなし）になる場合を示している。すなわち、フレームの先頭から１サブフレーム（３スロット）後にＨＳ−ＳＣＣＨ信号の受信が完了すると、直後のスロットでＨＳ−ＳＣＣＨデータに対する誤り検出が行われる。誤り検出結果がＯＫになると、ＨＳ−ＳＣＣＨデータを用いてＨＳ−ＰＤＳＣＨを復号することができるので、後にＡＣＫ信号またはＮＡＣＫ信号を送信することがわかる。従って、この時点でＰＲＥ／ＰＯＳＴ信号を送信することを確定できる。
【００９１】
ただし、ＨＳ−ＤＰＣＣＨ信号は、スケジューリングなどの制御処理のため、送信決定後すぐに実際に送信できるわけではない。ＰＲＥ／ＰＯＳＴ信号の送信決定から最初のＰＲＥ信号を送信するまでに、例えば３スロットを必要とする。図８に示すように、ＨＳ−ＳＣＣＨ信号の受信完了後、すぐに、誤り検出結果がＯＫとなってＰＲＥ／ＰＯＳＴ信号の送信が確定できれば、最初のＰＲＥ信号の送信タイミングに間に合うようにスケジューリングを行うことができる。
【００９２】
図９は、下り共通信号および上り制御信号のタイミングを示す第２の図である。図９の例は、ＨＳ−ＳＣＣＨの１回目の復調・復号では誤り検出結果がＮＧ（誤りあり）になったが、２回目の復調・復号で誤り検出結果がＯＫになる場合を示している。すなわち、フレームの先頭から１サブフレーム後にＨＳ−ＳＣＣＨ信号の受信が完了すると、直後のスロットでＨＳ−ＳＣＣＨデータに対する誤り検出が行われる。誤り検出結果がＮＧになると、ＨＳ−ＳＣＣＨ信号の受信完了から１スロット遅延して、ＨＳ−ＳＣＣＨシンボルバッファ１１３に格納されたＨＳ−ＳＣＣＨ信号を用いて再復調・再復号を行う。誤り検出結果がＯＫになると、この時点でＰＲＥ／ＰＯＳＴ信号を送信することを確定できる。
【００９３】
ただし、２回目のＨＳ−ＳＣＣＨの誤り検出結果を受けてスケジューリングを行うことができるのは、２つ目のＰＲＥ信号以降のものである。再復調・再復号により１スロットの遅延が生じるため、最初のＰＲＥ信号はスケジューリングが間に合わないからである。そのため、最初のＰＲＥ信号は、ＨＳ−ＳＣＣＨの再復調・再復号の実行前に誤り検出結果を予測して、送信するか否かを決定する。
【００９４】
すなわち、ＨＳ−ＳＣＣＨの１回目の復調・復号で誤り検出結果がＮＧになると、フェージング速度から２回目の復調・復号後の誤り検出結果を予測する。誤り検出結果の予測がＯＫであると、実際の誤り検出結果を待たずに、最初のＰＲＥ信号のスケジューリングを行う。これにより、最初のＰＲＥ信号が欠けてしまうことが防止される。なお、誤り検出結果の予測がＮＧである場合は、ＰＲＥ信号に代えてＤＴＸ信号のスケジューリングを行う。
【００９５】
図１０は、下り共通信号および上り制御信号のタイミングを示す第３の図である。図１０の例は、ＨＳ−ＳＣＣＨの１回目の復調・復号で誤り検出結果がＮＧになり、２回目の復調・復号でも誤り検出結果がＮＧになる場合を示している。この場合、誤り検出結果の予測に失敗すると、最初のＨＳ−ＤＰＣＣＨ信号が誤った信号となる。
【００９６】
すなわち、再復調・再復号でも誤り検出結果がＮＧになるにも拘わらず、誤り検出結果がＯＫになると予測すると、１つ目のＨＳ−ＤＰＣＣＨ信号としてＤＴＸ信号が送信されるべきところＰＲＥ信号が送信されてしまう。しかし、２つ目以降は、実際の誤り検出結果を受けてＤＴＸ信号が送信される。ＨＳ−ＤＰＣＣＨ信号を受信する無線基地局２００は、ＰＲＥ／ＰＯＳＴ信号全体を見て判断することで、このような１つだけのＰＲＥ信号を実質的に無視することが可能である。
【００９７】
このような無線通信システムを用いることで、移動局１００は、ＨＳ−ＳＣＣＨデータの取得失敗によりＨＳ−ＰＤＳＣＨデータを復号できなかったとき、即座にＤＴＸ信号を送信して再送を要求するのではなく、１スロット遅延後の最新のチャネル推定値に基づいて再取得を試みる。このため、無線基地局２００から移動局１００への再送回数を削減することができる。
【００９８】
このとき、移動局１００は、フェージング速度に基づいて再取得の成否を推定し、推定結果に基づいてＡＣＫ／ＮＡＣＫ信号に付加するＰＲＥ／ＰＯＳＴ信号の送信を判断する。このため、再取得に伴う１スロット遅延により、最初のＰＲＥ信号が送信できない事態を回避できる。その結果、無線基地局２００でのＡＣＫ／ＮＡＣＫ信号の認識精度の低下を防止することができる。
【００９９】
なお、本実施の形態では移動局と無線機基地局とが無線通信を行う移動通信システムの例を挙げたが、これを他の種類の通信システムに応用することも容易である。また、本実施の形態では移動局が無線基地局から制御データを受信して、これに対する応答信号を送信する例を挙げたが、移動局側のこの機能を無線基地局側に設け、上りリンク通信に応用することも考えられる。また、移動局が制御データ以外のデータを受信したときの応答信号の送信に応用することも考えられる。また、本実施の形態ではＨＳＤＰＡ方式を採用したＣＤＭＡ通信システムを例に挙げたが、他の通信方式への応用も容易である。
【図面の簡単な説明】
【０１００】
【図１】本実施の形態の概要を示す図である。
【図２】本実施の形態のシステム構成を示す図である。
【図３】移動局の機能を示す第１のブロック図である。
【図４】移動局の機能を示す第２のブロック図である。
【図５】閾値テーブルのデータ構造を示す図である。
【図６】ＨＡＲＱ制御の処理手順を示す第１のフローチャートである。
【図７】ＨＡＲＱ制御の処理手順を示す第２のフローチャートである。
【図８】下り共通信号および上り制御信号のタイミングを示す第１の図である。
【図９】下り共通信号および上り制御信号のタイミングを示す第２の図である。
【図１０】下り共通信号および上り制御信号のタイミングを示す第３の図である。
【符号の説明】
【０１０１】
１０，２０  通信装置
１１  判定部
１２  測定部
１３  付加部
【図１】
0005125645.tif 000003
【図２】
0005125645.tif 000004
【図３】
0005125645.tif 000005
【図４】
0005125645.tif 000006
【図５】
0005125645.tif 000007
【図６】
0005125645.tif 000008
【図７】
0005125645.tif 000009
【図８】
0005125645.tif 000010
【図９】
0005125645.tif 000011
【図１０】
0005125645.tif 000012